(57)【特許請求の範囲】
【請求項１】
フック部と、フック部の下端に連なる横部材、および同横部材の一端に連なり、折り畳んだときに横部材と重なり合う重ね部材を有する挟持部とを備えたネクタイハンガーにネクタイを係止した状態で使用する袋状のネクタイ用カバーであって、
カバー本体の上部の両側縁部に、前記ネクタイハンガーの重ね部材が挿通可能な開口または切り込みを形成したことを特徴とするネクタイ用カバー。
【発明の詳細な説明】
【０００１】
【発明の属する技術分野】
本発明はネクタイ用カバー、とくにネクタイとともにネクタイハンガーに係止するネクタイ用カバーに関する。
【０００２】
【従来の技術】
クリーニング店においては、クリーニングしたネクタイをネクタイ用カバーに収納した後、一本ごとにネクタイハンガーに係止し、ハンガーバーなどに吊り下げて保管し、客が受け取りにきたときには、ハンガーバーなどから取り外してそのままの状態で客に渡すようにしている。
【０００３】
このようなかたちで用いられるネクタイハンガーおよびネクタイ用カバーは、クリーニング店の出費を最小限にするために、簡単な構造の合成樹脂製のネクタイハンガー、および合成樹脂シート製あるいは紙製の袋状のカバーが用いられている。
【０００４】
図６は従来から用いられているネクタイハンガーの一例を示す斜視図であり、ネクタイハンガー４０は、フック部４１と挟持部４２とからなる合成樹脂製のハンガーである。挟持部４２は、フック部４１の下端に連なる横部材４３と、同横部材４３の一端に連なり、折り畳んだときに横部材４３と重なり合う重ね部材４４とで構成されている。この横部材４３と重ね部材４４とを折り重ね、横部材４３の端部の突起４３ａを重ね部材４４の端部の孔４４ａに弾性的に押し込むことにより両部材を係止し、両部材からなる挟持部４２で、二つ折りにしたネクタイの上部を挟むようになっている。
【０００５】
図７は、図６のネクタイハンガーと従来のネクタイ用カバーを用いてネクタイを係止した状態を示す正面図である。従来のカバー５０は、同図に示すように、上部が幅狭で下部が幅広の透明な袋状のカバーであり、このカバー５０内にクリーニング後のネクタイＮを中央部から二つ折りにして収納し、上部をネクタイハンガー４０の挟持部４２で挟んで吊り下げるようにしている。
【０００６】
【発明が解決しようとする課題】
ところで、カバー２０は、ポリエチレンシートのような薄い合成樹脂シート製あるいは紙製であり、表面が平滑で滑りやすいものであるので、図６に示すようにカバー５０に収納したネクタイＮをネクタイハンガー４０の挟持部４２で挟んで吊り下げたとき、ネクタイＮだけ、あるいはネクタイＮとカバー５０がともに挟持部４２から滑り落ちやすいという欠点がある。
【０００７】
クリーニング店において、クリーニング後のネクタイを係止した多数のネクタイハンガーをハンガーバーなどに引っかけて吊り下げたなかから、一つのネクタイを取り出すために、ネクタイあるいはネクタイハンガーを動かしたときに、ネクタイがネクタイハンガーから外れて床に落ちて汚れたりすると、客の心証を悪くし、場合によっては再度クリーニングが必要になる。
【０００８】
このような問題は、クリーニング店に限らず、同様なネクタイハンガーとカバーを使用しているネクタイ販売店においても生じる問題である。
【０００９】
本発明は、上記の問題に鑑み、従来のネクタイハンガーをそのまま使用できて、かつネクタイおよびカバーがネクタイハンガーから外れにくいネクタイ用カバーを提供することを目的とする。
【００１０】
【課題を解決するための手段】
本発明のネクタイ用カバーは、ネクタイハンガーにネクタイを係止した状態で使用する袋状のネクタイ用カバーであって、カバー本体の長手方向端部にネクタイハンガーの部材が挿通可能な開口または切り込みを形成したことを特徴とする。
【００１１】
前記の開口または切り込みは、ネクタイハンガーのフック部または挟持部の部材を挿通させることによってカバーをネクタイハンガーに係止させるためのものであって、ネクタイハンガーのフック部の部材を挿通させる場合は、カバー本体の幅方向中央部に１個の開口または切り込みを形成し、ネクタイハンガーの挟持部の部材を挿通させる場合は、カバー本体の幅方向に間隔をおいて２個形成するか、あるいは、両側縁部に形成することができる。ここで、切り込みを形成する場合は、切り込みの端部からシートが裂けるのを防止するために、切り込みの端部を丸く形成するのがよい。
【００１２】
本発明のネクタイ用カバーを使用するときは、まず、ネクタイを中央部から二つ折りにし、折り返し部がカバーに形成した開口または切り込みの位置にくるようにしてネクタイをカバー内に収納する。つぎに、ネクタイハンガーの挟持部の部材の先端を、カバーに形成した開口または切り込みの一方側から挿入し、ネクタイの折り返し部の内側を通しつつカバーの他方の開口または切り込みから突き出させる。あるいは、ネクタイハンガーの挟持部でネクタイを挟持した状態で、カバーの開口または切り込みにネクタイハンガーのフック部を挿通させる。これによって、ネクタイとカバーの両方がネクタイハンガーに係止されて外れにくくなる。
【００１３】
【発明の実施の形態】
図１および図２は本発明の第１の実施の形態を示す図であり、図１の（ａ）はネクタイ用カバーの正面図、（ｂ）は同ネクタイ用カバーの使用状態を示す正面図、図２は同ネクタイ用カバーの使用手順の説明図である。
【００１４】
本実施形態のネクタイ用カバー（以下、カバーという）１は、透明なポリエチレンシート製の袋状のカバーである。カバー本体２は、従来のカバーと同様な、ネクタイＮを中央部から二つ折りにした形状に相当する形状をしており、上端はシールされている。このカバー本体２の上部の両縁部に、ネクタイハンガーの部材が挿通可能な開口３ａ，３ｂが形成されている。
【００１５】
開口３ａ，３ｂは、カバー本体２の両縁部を半円状に切り欠いたもので、一方の開口３ａ（３ｂ）から他方の開口３ｂ（３ａ）に向けて、ネクタイハンガーの部材を挿通させるための開口である。図６に示したネクタイハンガー４０を用いる場合は、ネクタイハンガー４０の重ね部材４４がこの開口３ａ，３ｂに挿通される。
【００１６】
カバー１を使用するときは、まず、ネクタイＮを中央部から二つ折りにし、折り返し部がカバー本体２に形成した開口３ａ，３ｂの位置にくるようにしてネクタイＮをカバー本体２内に収納する（図２（ａ））。つぎに、ネクタイハンガー４０の挟持部の部材である重ね部材４４の先端を、カバー本体２に形成した開口３ａから挿入し、ネクタイＮの折り返し部の内側を通しつつカバー本体２の他方の開口３ｂから突き出させる（図２（ｂ））。この後、ネクタイハンガー４０の横部材４３と重ね部材４４の連接部を支点として横部材４３と重ね部材４４とを折り重ね、重ね部材４４を横部材４３に押しつけた状態で、横部材４３の鉤付き突起４３ａを重ね部材４４の孔４４ａに挿入することにより、両部材の端部どうしが互いに弾性的に係止され（図６参照）、ネクタイＮおよびカバー本体２が両部材の間で挟持される（図２（ｃ），（ｄ））。
【００１７】
これによって、ネクタイＮとカバー本体２の両方がネクタイハンガー４０の挟持部４２に挟持されて滑りにくくなる。さらに、カバー本体２の開口３ａ，３ｂにネクタイハンガー４０の部材である重ね部材４４が挿通されているので、カバー１がネクタイハンガー４０から外れて落ちることもない。
【００１８】
図３の（ａ）は本発明の第２の実施の形態におけるネクタイ用カバーの正面図であり、同図（ｂ）は同ネクタイ用カバーの使用状態を示す正面図である。
【００１９】
本実施形態のカバー１１は、第１の実施形態のカバー１と同様な袋状のカバーであり、カバー本体１２上部の一面側に２個の切り込み１３ａ，１３ｂが間隔をおいて形成されている。
【００２０】
切り込み１３ａ，１３ｂは、直線状の短い切り込みで、切り込みの上下端は、切り込みの端部からシートが裂けないように、小円形状に切り欠いてある。この切り込み１３ａ，１３ｂの一方の切り込み１３ａ（１３ｂ）から他方の切り込み１３ｂ（１３ａ）に向けて、ネクタイハンガーの部材が挿通される。
【００２１】
このカバー１１を使用するときは、ネクタイハンガー４０の重ね部材４４の先端をカバー本体１２の切り込み１３ａから挿入し、カバー１２本体内に収納されたネクタイＮの折り返し部の内側を通しつつカバー本体１２の切り込み１３ｂから突き出させ、第１の実施形態の場合と同様にしてネクタイハンガー４０の横部材（図示せず）と重ね部材４４とを係止する。
【００２２】
これによって、第１の実施形態の場合と同様にして、ネクタイＮとカバー本体１２の両方がネクタイハンガー４０の挟持部に挟持されて滑りにくく、かつカバー１１がネクタイハンガー４０から外れないようになる。
【００２３】
図４の（ａ）は本発明の第３の実施の形態におけるネクタイ用カバーの正面図であり、同図（ｂ）は同ネクタイ用カバーの使用状態を示す正面図である。
【００２４】
本実施形態のカバー２１は、袋状のカバーであるが、使用前の状態では上部は開放されており、カバー本体２２の片面側の上部延長部２４に円形の開口２３と接着部２５が形成されている。
【００２５】
このカバー２１を使用するときは、まず、二つ折りにしたネクタイＮの折り返し部をネクタイハンガー４０の挟持部で挟持した状態でネクタイＮをカバー本体２２内に収納し、ついで、ネクタイハンガー４０のフック部４１をカバー本体２２の上部延長部２４の開口２３に挿通した後、上部延長部２４を折り返して接着部２５をカバー本体２２の表面に接着する。これにより、ネクタイＮはネクタイハンガー４０の挟持部で挟持され、カバー２１は上部がネクタイハンガー４０の挟持部で係止されて、ネクタイハンガー４０から外れにくくなる。
【００２６】
図５の（ａ）は本発明の第４の実施の形態におけるネクタイ用カバーの正面図であり、同図（ｂ）は同ネクタイ用カバーの使用状態を示す正面図である。
【００２７】
本実施形態のカバー３１は、第３の実施形態のカバー２１と同様に、使用前の状態では上部が開放されたカバーであり、カバー本体３２の片面側の上部延長部３３の上部に、中央部を切り欠いた接着部３４ａ，３４ｂが形成されている。
【００２８】
このカバー３１を使用するときは、まず、二つ折りにしたネクタイＮの折り返し部をネクタイハンガー４０の挟持部で挟持した状態でネクタイＮをカバー本体３２内に収納し、ネクタイハンガー４０のフック部４１が上部延長部３３の接着部３４ａ，３４ｂ間の開口３５に位置する姿勢で、接着部３４ａ，３４ｂを折り返してカバー本体３２の表面に接着する。これにより、ネクタイＮはネクタイハンガー４０の挟持部で挟持され、カバー本体３２は上部がネクタイハンガー４０の挟持部で係止されて、ネクタイハンガー４０から外れにくくなる。
【００２９】
なお、上記の実施形態において用いたネクタイハンガーは、既存のハンガーの一つであるが、本発明のカバーに適用できるネクタイハンガーは上記の実施形態に示したハンガーに限られるものではなく、たとえば図８に示すようなハンガーも用いることができる。同図に示すネクタイハンガー５０は、フック部５１、部材５２ａ，５２ｂからなる挟持部５２、ガード部５３を一体的に成形したもので、ネクタイを挟持部５２の開口から横向きに挿入して、挟持部５２でネクタイを挟持するようにしたハンガーである。このハンガー５０の場合は、部材５２ａをカバー本体の開口または切り込みに挿通してカバーを係止する。
【００３０】
また、本発明においてカバー本体に形成する開口または切り込みは、上記の実施形態に示した開口または切り込みに限られるものではなく、ネクタイハンガーの部材を挿通することができ、それによってカバーをネクタイハンガーで係止できるものであれば、開口や切り込みの位置や形状は適宜変えることができる。
【００３１】
【発明の効果】
以上のように本発明のネクタイカバーは、カバー本体の長手方向端部にネクタイハンガーの部材が挿通可能な開口または切り込みを形成したことにより、ネクタイとカバーの両方をネクタイハンガーに係止することができ、ネクタイおよびネクタイカバーがハンガーから外れるのを防止する。
【図面の簡単な説明】
【図１】本発明の第１の実施の形態を示す図であり、（ａ）はネクタイ用カバーの正面図、（ｂ）は同ネクタイ用カバーの使用状態を示す正面図である。
【図２】図１のネクタイ用カバーの使用手順の説明図である。
【図３】（ａ）は本発明の第２の実施の形態におけるネクタイ用カバーの正面図であり、（ｂ）はネクタイ用カバーの使用状態を示す正面図である。
【図４】（ａ）は本発明の第３の実施の形態におけるネクタイ用カバーの正面図であり、（ｂ）はネクタイ用カバーの使用状態を示す正面図である。
【図５】（ａ）は本発明の第４の実施の形態におけるネクタイ用カバーの正面図であり、（ｂ）はネクタイ用カバーの使用状態を示す正面図である。
【図６】ネクタイハンガーの一例を示す斜視図である。
【図７】図５のネクタイハンガーと従来のネクタイ用カバーを用いてネクタイを係止した状態を示す正面図である。
【図８】ネクタイハンガーの他の例を示す正面図である。
【符号の説明】
１，１１，２１，３１  カバー
２，１２，２２，３２  カバー本体
３ａ，３ｂ，２３，３５  開口
１３ａ，１３ｂ  切り込み
２４，３３  上部延長部
２５，３４ａ，３４ｂ  接着部
４０，５０  ネクタイハンガー
４１，５１  フック部
４２，５２  挟持部
４３  横部材
４３ａ  鉤付き突起
４４  重ね部材
４４ａ  孔
５２ａ，５２ｂ  挟持部の部材
５３  ガード部
Ｎ  ネクタイ
【図１】
0003883241.tif 000002
【図２】
0003883241.tif 000003
【図３】
0003883241.tif 000004
【図４】
0003883241.tif 000005
【図５】
0003883241.tif 000006
【図６】
0003883241.tif 000007
【図７】
0003883241.tif 000008
【図８】
0003883241.tif 000009